(57)【特許請求の範囲】
【請求項１】
内蔵される電源により電力供給を受け駆動する電子機器であって、
電子機器の動きを検出する検出手段と、
電子機器の動きの特徴を示すパターンを記憶する記憶手段と、
前記検出手段により検出した動きが、前記記憶手段に記憶されているパターンに適合しているか否かを判定する判定手段と、
前記判定手段により適合していると判定された場合、前記電源からの電力供給を停止する電源制御手段とを含み、
前記記憶手段に予め記憶する特徴を示すパターンは、予め定める加速度以上の加速度の後、あるいは予め定める衝撃度以上の衝撃度の後、予め定める時間内に、電子機器が静止したことを示すパターンであることを特徴とする電子機器。
【請求項２】
前記検出手段は、加速度センサあるいは衝撃センサであることを特徴とする請求項１に記載の電子機器。
【請求項３】
前記加速度センサあるいは衝撃センサは、圧電素子を用いたことを特徴とする請求項２に記載の電子機器。
【発明の詳細な説明】
【技術分野】
【０００１】
本発明は、電力消費を制御して電池の消耗を抑えることができる電子機器に関する。
【背景技術】
【０００２】
携帯電話機、ＰＤＡ（Personal Digital Assistance）、ハンディターミナルなどの携帯型の電子機器は、内蔵する電源、たとえば電池によって電力が供給される。携帯性を損なわないようにするために、携帯型の電子機器に内蔵される電池の大きさには限界があり、電池容量も制限される。携帯型の電子機器では、電池の消耗を抑えて、電池の使用可能期間を延ばすために、たとえばユーザが電子機器を使用していないときは、表示画面のバックライトを消灯したり、あるいは電源を切断することによって、不要な電力消費を減らしている。
【０００３】
電池の消耗を抑えるための第１の従来技術として、一定時間以上キー操作が行われないときに電源を切断する携帯型情報端末がある。一定時間以上キー操作が行われない状態は、使用者が携帯型情報端末を使用していない状態にあると判断して、電源を切断し、電池の消耗を抑制するようにしたものである。
【０００４】
第２の従来技術として、電子機器の使用状況に応じて、低消費電力化の制御を行う電源制御装置がある。この電源制御装置は、加速度センサによって電子機器の傾きを検出すると共に、ＣＣＤカメラを用いて使用者の視線方向を検知することによって電子機器が使用中であるか否かを検出して、バックライトを点灯および消灯するものである。消灯の条件は、たとえば使用者が電子機器の方向を向いておらず、かつ、電子機器が一定時間以上続けて所定角度以上傾けられた場合である。バックライトの点灯および消灯だけでなく、電源制御を行うこともできる（たとえば特許文献１参照）。
【０００５】
第３の従来技術として、利用者の状況あるいは利用者の周囲の状況を物理量として検出することによって、消費電力を制御する情報処理装置がある。この情報処理装置は、利用者に装着したセンサ手段あるいは利用者の周囲に配置したセンサ手段を用いて、映像、音、振動、温度、位置、障害物までの距離などの物理量を検出することによって、利用者の状況あるいは利用者の周囲の状況を認識するものである。たとえば利用者に装着する加速度センサのような運動センサを用いて、利用者の運動状況を加速度として検出し、検出した加速度の周波数パターンから利用者の自発的な運動か否かを判定する。利用者の自発的な運動のときは、利用者の情報処理装置に対する集中の度合いが低下するので、画面を更新する周期を長くすることで消費電力の低減を図る。あるいは、画面への表示を停止するなど必要がないと思われる機能への電源供給を停止ないしは低減することによって、パワーダウンモードに移行し、低消費電力化を図っている（たとえば特許文献２参照）。
【０００６】
第４の従来技術は、振動センサによって検出された振動が予め定められた特徴を備えている場合、節電モードから通常モードに移行する携帯電話機がある。この携帯電話機は、振動を検出する振動センサを備え、振動センサが検出した振動が予め定められた周期と等しい場合、あるいは、振動センサに代えて加速度センサを用いて、加速度センサが検出した加速度が予め定められた加速度と等しい場合、節電モードを解除して、通常モードに移行するものである。使用者が携帯電話機を一定のリズムで振ることによって、通常モードに復帰させることができる（たとえば特許文献３参照）。
【０００７】
【特許文献１】特開平９−１２０３２３号公報
【特許文献２】特開２００１−１００８７０号公報
【特許文献３】特開２００３−２４４０６６号公報
【発明の開示】
【発明が解決しようとする課題】
【０００８】
しかしながら、第１の従来技術を用いた携帯型情報端末は、ポケットなどに格納する際、携帯型情報端末のキーが他のものと接触すると、キー操作が行われたと判断され、切断されていた電源が投入されることがある。この場合、ポケットの中に収納された携帯型情報端末は使用されることなく、電力が無駄に消費されるという問題がある。キー操作が行われなかったことを検出するための時間を短く設定すると、使用者がデータの閲覧を長時間行ったために、使用者の意に反して電源が切断されることがあるという問題がある。
【０００９】
第２の従来技術である電源制御装置は、加速度センサによって電子機器の傾きを検出するものであるが、使用中でも電子機器が傾くことがあるので、視線方向を検知することによって使用中でないことを検出するものであり、ＣＣＤカメラなどを用いて視線方向を検出しなければ、使用中でないことを検出することができないという問題がある。
【００１０】
第３の従来技術である情報処理装置は、利用者の状況あるいは利用者の周囲の状況を物理量として検出することによって、消費電力を制御するものであって、電子機器の動きを検出するものではない。したがって、利用者が電子機器を動かすことによって、電子機器に指示を与えることはできないという問題がある。
【００１１】
第４の従来技術である携帯電話機は、振動センサが検出した振動が予め定められた周期と等しい場合に、節電モードを解除して、通常モードに移行するものである。すなわち、利用者が携帯電話機を一定のリズムで振ることによって、通常モードに復帰させるものであり、節電モードに移行させることはできないという問題がある。
【００１２】
本発明の目的は、電子機器の動きによって電力消費を制御して、電池の消耗を抑えることができる電子機器を提供することである。
【課題を解決するための手段】
【００１３】
本発明は、内蔵される電源により電力供給を受け駆動する電子機器であって、
電子機器の動きを検出する検出手段と、
電子機器の動きの特徴を示すパターンを記憶する記憶手段と、
前記検出手段により検出した動きが、前記記憶手段に記憶されているパターンに適合しているか否かを判定する判定手段と、
前記判定手段により適合していると判定された場合、前記電源からの電力供給を停止する電源制御手段とを含み、
前記記憶手段に予め記憶する特徴を示すパターンは、予め定める加速度以上の加速度の後、あるいは予め定める衝撃度以上の衝撃度の後、予め定める時間内に、電子機器が静止したことを示すパターンであることを特徴とする電子機器である。
【００１４】
本発明に従えば、検出手段によって、内蔵される電源により電力供給を受け駆動する電子機器の動きが検出され、記憶手段によって、電子機器の動きの特徴を示すパターンが記憶され、判定手段によって、前記検出手段により検出した動きが、前記記憶手段に記憶されているパターンに適合しているか否かが判定され、電源制御手段によって、前記判定手段により適合していると判定された場合、前記電源からの電力供給が停止される。
【００１５】
このように、電子機器の動きを検出し、検出した動きが、電子機器の動きの特徴を示すパターンに適合しているときに、電力の供給を停止つまり電源を切断するので、電子機器の動きの特徴を示すパターンを設定しておくことによって、電子機器の動きに応じて電源を切断することができる。
【００１７】
また、電子機器の動きの特徴を示すパターンは、予め定める加速度以上の加速度の後、あるいは予め定める衝撃度以上の衝撃度の後、予め定める時間内に電子機器が静止したことを示すパターンであるので、電子機器が急に動作した後静止したことを検出することができる。
【００２０】
また本発明は、前記検出手段は、加速度センサあるいは衝撃センサであることを特徴とする。
【００２１】
本発明に従えば、電子機器の動きを加速度センサあるいは衝撃センサを用いて検出するので、電子機器の動きを加速度の変化として検出することができる。
【００２２】
また本発明は、前記加速度センサあるいは衝撃センサは、圧電素子を用いたことを特徴とする。
【００２３】
本発明に従えば、圧電素子を用いた加速度センサあるいは衝撃センサによって加速度を検出するので、加速度を検出するために、加速度センサあるいは衝撃センサに電力を供給する必要がない。
【発明の効果】
【００２４】
本発明によれば、電子機器の動きの特徴を示すパターンを設定しておくことによって、電子機器の動きに応じて電源を切断することができるので、電子機器の動きによって電力消費を制御して、電池の消耗を抑えることができる。
【００２５】
また、電子機器が急に動作した後静止したことを検出することができるので、電子機器をポケットなどに収納することによって、電源を切断することができる。
【００２７】
また本発明によれば、電子機器の動きを加速度の変化として検出するので、加速度の変化の特徴を用いて、電源切断の条件を設定することができる。
【００２８】
また本発明によれば、加速度を検出するために、加速度センサあるいは衝撃センサに電力を供給する必要がないので、電子機器を小型化することができる。
【発明を実施するための最良の形態】
【００２９】
図１は、本発明の実施の一形態である小型携帯端末１の概略の構成を示す図である。電子機器（以下、機器ともいう）は、たとえば携帯電話機、ＰＤＡ（Personal Digital
Assistance）、あるいはハンディターミナルなどの小型携帯端末１である。小型携帯端末１は、加速度センサ１１、加速度設定値記憶部１２、検出判定部１３、制御部１４、電源制御対象１５、スイッチ１６、表示部１７、および電池１８を含む。
【００３０】
加速度センサ１１は、小型携帯端末１の加速度あるいは傾きを検出するためのセンサ、たとえば加速度センサあるいは衝撃センサである。以下、加速度センサ１１として加速度センサを用いた場合について説明するが、加速度センサの代わりに衝撃センサを用いてもよい。加速度センサ１１は、検出した加速度の検出信号を検出判定部１３に入力する。
【００３１】
加速度設定値記憶部１２は、小型携帯端末１の動きの特徴、たとえば加速度の変化の特徴を示す加速度設定値を記憶するための記憶装置であり、たとえばフラッシュメモリなどの不揮発性の半導体メモリで構成される。加速度設定値は、省電力モードを開始つまり電源制御対象１５への電力の供給を停止するための第１の加速度設定値、および省電力モードを終了つまり電源制御対象１５への電力の供給を開始するための第２の加速度設定値を含む。
【００３２】
検出判定部１３は、加速度センサ１１から入力された検出信号が示す加速度の変化の特徴が、加速度設定値記憶部１２に記憶された加速度設定値の特徴に適合するか否かを判定し、判定結果を制御部１４に入力する。
【００３３】
制御部１４は、検出判定部１３から、小型携帯端末１の動きの特徴つまり加速度の変化の特徴が第１の加速度設定値の特徴に適合するという判定結果を受け取ると、電源制御対象１５への電力の供給の停止を指示する供給停止指示を電源制御対象１５に与える。電源制御対象１５は、電源制御対象Ａ１５ａ〜電源制御対象Ｎ１５ｎを含み、各電源制御対象は、たとえば液晶ディスプレイのバックライトおよびＵＳＢ接続部などである。供給停止指示によって、電池１８から電源制御対象１５への電力の供給が停止される。制御部１４は、検出判定部１３から、加速度の変化の特徴が第２の加速度設定値の特徴に適合するという判定結果を受け取ると、電源制御対象１５への電力の供給の開始を指示する供給開始指示を電源制御対象１５に与える。供給開始指示によって、電池１８から電源制御対象１５に電力が供給される。
【００３４】
スイッチ１６は、電源の投入あるいは切断を指示するためのスイッチである。電源が投入されている状態でスイッチ１６が操作されたときは、電源の切断を制御部１４に指示する。制御部１４は、スイッチ１６から電源切断の指示を受けると、情報を不揮発性メモリに退避するなどの終了処理を行った後、小型携帯端末１全体の電源を切断する。電源が切断されている状態でスイッチ１６が操作されたときは、制御部１４を介さずに、小型携帯端末１全体への電源が投入される。
【００３５】
表示部１７は、情報を表示する液晶ディスプレイなどの表示画面を有する表示装置であるが、情報を入力する必要がある場合は、タッチパネルなどのように制御部１４からの情報を出力すると共に情報を入力することもできる入出力装置を用いる。入力された情報は、制御部１４に転送される。電池１８は、たとえばリチウム電池などの電源である。
【００３６】
上述した実施の形態では、制御部１４は、検出判定部１３から、小型携帯端末１の加速度の変化の特徴が第１の加速度設定値の特徴に適合するという判定結果を受け取ると、電源制御対象１５への電源供給のみ停止したが、小型携帯端末１全体の電源を切断してもよい。この場合、電源の投入は、スイッチ１６によって行われる。
【００３７】
さらに、上述した実施の形態では、検出判定部１３と制御部１４とを分けて構成したが、検出判定部１３を制御部１４に含めてもよい。さらにまた、加速度設定値記憶部１２に記憶する加速度設定値を、制御部１４に含まれるフラッシュメモリなどの半導体メモリに記憶して、加速度設定値記憶部１２を省略してもよい。制御部１４に含まれるフラッシュメモリには、ＯＳ（Operating System）およびアプリケーションプログラムなどの設定情報であるレジストリ情報などの情報が記憶される。このレジストリ情報には、たとえば表示部１７であるタッチパネルの座標データも記憶され、加速度設定値もこのレジストリ情報に記憶される。
【００３８】
検出手段は、たとえば加速度センサ１１であり、記憶手段は、たとえば加速度設定値記憶部１２であり、判定手段は、たとえば検出判定部１３であり、電源制御手段は、たとえば制御部１４であり、内蔵される電源は、たとえば電池１８である。
【００３９】
図２は、図１に示した加速度センサ１１の一例を示す図である。図２（ａ）は、圧電素子を用いた加速度センサ１１の概略の構成を示す図である。加速度センサあるいは衝撃センサである加速度センサ１１は、ケース２３のベース２４の面によって小型携帯端末１の筐体などに固定される。ベース２４の反対面に、圧電素子２１の一端が固定され、圧電素子２１の他端におもり２２が固定される。圧電素子２１およびおもり２２は、ケース２３の中に収納され、圧電素子２１が検出する検出信号を出力する１組の信号線がケース２３の外に伸びている。
【００４０】
小型携帯端末１に動きが生じると、おもり２２に慣性力が働き、おもり２２が圧電素子２１に与える押力が変化する。加速度センサ１１は、押力の変化によって圧電素子２１に生じる電圧の変化を検出信号として出力する。加速度センサ１１が出力する検出信号は、アナログ信号であってもよいし、デジタル信号であってもよい。アナログ信号の場合、アナログ信号は、検出判定部１３でデジタル信号に変換される。
【００４１】
このように、電子機器である小型携帯端末１の動きを加速度センサあるいは衝撃センサを用いて検出するので、小型携帯端末１の動きを加速度の変化として検出することができる。小型携帯端末１の動きを加速度の変化として検出するので、加速度の変化の特徴を用いて、省電力モードの開始もしくは停止、または電源の切断の条件を設定することができる。
【００４２】
さらに、圧電素子を用いた加速度センサあるいは衝撃センサによって加速度を検出するので、加速度を検出するために、加速度センサあるいは衝撃センサに電力を供給する必要がなく、小型携帯端末１である電子機器を小型化し、かつ耐衝撃性を向上することができる。
【００４３】
図２（ｂ）は、加速度センサ１１が検出する加速度の変化の一例を示す図である。縦軸が重力方向の加速度によって生じる電圧を示し、横軸は時間を示す。
【００４４】
加速度設定値記憶部１２に記憶される第１の加速度設定値は、たとえば小型携帯端末１がポケットあるいは腰に付けたホルダに収納されるときの加速度の変化の特徴を示すパターンであり、第２の加速度設定値は、たとえば小型携帯端末１がポケットあるいは腰に付けたホルダから取り出されるときの加速度の変化の特徴を示すパターンである。加速度設定値、つまり加速度の変化の特徴を示すパターンは、たとえば加速度の値と、加速度が変化する時間などによって特定されるパターンである。
【００４５】
図２（ｂ）に示した加速度の変化は、省電力モードを開始つまり電源制御対象１５への電力の供給を停止するための第１の加速度設定値に適合する特徴を有する例である。小型携帯端末１は、ポケットあるいは腰に付けたホルダなどの格納部に収納される際、上方から収納される。したがって、使用者は、小型携帯端末１を落下させるようにして格納部に収納する。このとき、小型携帯端末１に生じる加速度は、重力方向への比較的大きな加速度が発生した後、小型携帯端末１が格納部の底面に達したとき、加速度が０になるか、若干バウンドすることによって、重力と反対方向の加速度が発生する。したがって、小型携帯端末１の電源制御対象１５への電力の供給を停止する条件としては、下方向つまり重力方向に比較的大きな加速度が発生し、かつその後急に静止を示す加速度が発生することである。静止を示す加速度は、加速度が０になる、または上方向つまり重力と反対方向の加速度が発生することである。
【００４６】
たとえば第１の加速度設定値は、予め定める加速度以上の加速度であって、その最大の加速度から静止を示す加速度まで変化する時間が、予め定める時間以内であるという加速度の変化の特徴を示すパターンである。具体的には、この例では、加速度の変化が電圧の変化として検出されるので、予め定める電圧Ｖｒ以上の電圧の後、予め定める時間Ｔｒ以下の時間に静止を示す加速度があるというパターンである。図２（ｂ）に示した加速度の変化は、時刻ｔｐのとき最大の電圧Ｖｍａｘの後、時刻ｔｍのとき重力の方向と反対方向の加速度があったことを示す電圧Ｖｍｉｎを示している。電圧Ｖｍａｘが予め定める電圧Ｖｒ以上の電圧であり、かつ時間Ｔｐｍが予め定める時間Ｔｒ以下の時間であると、図２（ｂ）に示した加速度の変化は、第１の加速度設定値に適合する特徴を有する。
【００４７】
図２（ｂ）に示した例では、小型携帯端末１の動きの特徴を、検出信号の閾値と変化する時間で特定したが、検出信号の波形そのもの、検出信号の信号幅、検出信号の積算値などを用いて特定してもよい。
【００４８】
このように、電子機器の動きの特徴を示すパターンつまり加速度設定値は、予め定める加速度以上の加速度の後、あるいは予め定める衝撃度以上の衝撃度の後、予め定める時間内に小型携帯端末１である電子機器が静止したことを示すパターンであるので、電子機器が急に動作した後静止したことを検出することができる。したがって、電子機器をポケットなどに収納することによって、電源制御対象１５への電力の供給を停止、あるいは電子機器の電源を切断することができる。
【００４９】
図３は、図１に示した小型携帯端末１が行う電源制御の処理手順の一例を示すフローチャートである。このフローチャートは、加速度センサ１１が検出した加速度の変化つまり小型携帯端末１の動きによって、電源制御対象１５への電力の供給の停止または開始を制御するものである。スイッチ１６によって電源が投入され、使用者が小型携帯端末１を利用することができる状態になると、ステップＳ１に移る。
【００５０】
ステップＳ１では、加速度センサ１１は、検出した加速度の検出信号を検出判定部１３に入力する。ステップＳ２では、検出判定部１３は、機器が使用中か否か、すなわち電源制御対象１５に電力が供給されているか否かを判定する。電源制御対象１５に電力が供給されているか否かの判定は、電源制御対象１５への電力の供給の開始または停止の制御を行う制御部１４に問い合わせる。電源制御対象１５に電力が供給されているとき、ステップＳ３に進み、電源制御対象１５に電力が供給されていないとき、ステップＳ６に進む。
【００５１】
ステップＳ３では、検出判定部１３は、加速度センサ１１から入力された検出信号が示す加速度の変化の特徴が、加速度設定値記憶部１２に記憶された第１の加速度設定値の特徴に適合するか否か、すなわち電源オフの条件が成立しているか否かを判定する。電源オフの条件とは、電源制御対象１５への電力の供給を停止するための条件のことである。電源オフの条件が成立しているとき、ステップＳ４に進み、電源オフの条件が成立していないとき、ステップＳ１に戻る。
【００５２】
ステップＳ４では、制御部１４は、電池１８から電源制御対象１５への電力の供給の停止を指示する供給停止指示を、電源制御対象１５に送出する。ステップＳ５では、電源制御対象１５への電力供給が停止し、機器が省電力モードに移行して終了する。
【００５３】
ステップＳ６では、検出判定部１３は、加速度センサ１１から入力された検出信号が示す加速度の変化の特徴が、加速度設定値記憶部１２に記憶された第２の加速度設定値の特徴に適合しているか否か、すなわち電源オンの条件が成立しているか否かを判定する。電源オンの条件とは、電源制御対象１５への電力の供給を開始するための条件のことである。電源オンの条件が成立しているとき、ステップＳ７に進み、電源オンの条件が成立していないとき、ステップＳ１に戻る。
【００５４】
ステップＳ７では、制御部１４は、電池１８から電源制御対象１５への電力の供給の開始を指示する供給開始指示を、電源制御対象１５に送出する。ステップＳ８では、省電力モードが終了し、つまり電源制御対象１５への電力供給が開始され、機器が起動されて終了する。
【００５５】
図３に示した実施の形態では、電源オフの条件が成立したときに、電源制御対象１５への電力の供給を停止したが、小型携帯端末１全体の電源を切断してもよい。この場合、電源の投入は、スイッチ１６の操作によって行われる。これは、電源が切断されると、加速度センサ１１、加速度設定値記憶部１２、検出判定部１３、および制御部１４にも電力が供給されなくなり、第２の加速度設定値に適合する特徴を有する加速度の変化があったか否かを検出することができないためである。
【００５６】
このように、小型携帯端末１である電子機器の動きを検出し、検出した動きの特徴が、電子機器の動きの特徴を示すパターンである加速度設定値の特徴に適合しているときに、省電力モードを開始もしくは停止、または電源を切断するので、電子機器の動きの特徴を示すパターンを設定しておくことによって、電子機器の動きに応じて省電力モードを開始もしくは停止、または電源を切断することができる。したがって、電子機器の動きによって電力消費を制御して、電池の消耗を抑えることができる。すなわち、電源の切り忘れによる無駄な電力消費を防止することができる。さらに、電子機器の起動もスイッチを押すことなく行うことができる。
【００５７】
図４は、本発明の実施の他の形態である小型携帯端末１の概略の構成を示す図である。上述した実施の形態では、加速度の変化の標準的な特徴を示すパターンを、加速度設定値として小型携帯端末１に設定しておいたが、使用者固有のパターンを設定するようにしてもよい。
【００５８】
図４に示した小型携帯端末１は、使用者固有のパターンを設定可能にするために、図１に示した小型携帯端末１に設定値計算部１９を付加した構成である。設定値計算部１９は、検出判定部１３から受け取った加速度の変化の特徴を抽出し、抽出した特徴をパターンつまり加速度設定値として、加速度設定値記憶部１２に記憶する。たとえば使用者が小型携帯端末１をポケットなどに収納する際の加速度の変化の特徴を抽出し、抽出した特徴を加速度設定値として設定する。その他の部位については、図１に示した小型携帯端末１の対応する部位と同じであり、説明は省略する。
【００５９】
図４に示した実施の形態では、検出判定部１３、制御部１４、および設定値計算部１９を分けて構成したが、検出判定部１３および設定値計算部１９を制御部１４に含めてもよい。さらに、加速度設定値記憶部１２に記憶する加速度設定値を、制御部１４に含まれるフラッシュメモリなどの半導体メモリなどに記憶して、加速度設定値記憶部１２を省略してもよい。抽出手段および設定手段は、たとえば設定値計算部１９である。
【００６０】
図５は、図４に示した小型携帯端末１が行う加速度設定値設定処理の処理手順の一例を示すフローチャートである。小型携帯端末１の電源を切断するためのパターンつまり加速度設定値を設定するための処理手順であり、たとえば小型携帯端末１のタッチパネルによって、加速度設定値の設定要求があったとき、ステップＴ１に移る。
【００６１】
ステップＴ１では、制御部１４は、小型携帯端末１の電源を切断するための加速度設定値を設定するか否かを使用者に選択させるための設定初期画面を表示部１７に表示する。設定初期画面には、設定開始を指示する「開始」ボタンおよび設定しないことを指示する「終了」ボタンが表示される。ステップＴ２では、制御部１４は、「開始」ボタンが操作されたか、あるいは「終了」ボタンが操作されたかを判定する。「開始」ボタンが操作されたとき、ステップＴ３に進み、「終了」ボタンが操作されたとき、終了する。
【００６２】
ステップＴ３では、制御部１４は、使用者に小型携帯端末１を、たとえばポケットなどに収納する操作を行わせるための操作開始画面を表示部１７に表示する。ステップＴ４では、制御部１４は、使用者が小型携帯端末１をポケットなどに収納する際の加速度を加速度センサ１１に検出させる。ステップＴ５では、検出判定部１３は、加速度センサ１１が検出した加速度が、下方向、つまり重力方向の大きな加速度であるか否かを判定する。大きな加速度であるか否かは、予め定める加速度以上の加速度、たとえば予め採取したサンプル値の最小値以上の加速度であるか否かによって判定する。下方向の大きな加速度であるとき、ステップＴ６に進み、下方向の大きな加速度でないとき、ステップＴ４に戻る。ステップＴ６では、検出判定部１３は、加速度センサ１１からの検出信号が示す加速度情報を設定値計算部１９に送る。ステップＴ７では、制御部１４は、検出された下方向の大きな加速度の後に引続く加速度を加速度センサ１１に検出させる。
【００６３】
ステップＴ８では、検出判定部１３は、加速度センサ１１が検出した加速度が、上方向つまり重力と反対方向、あるいはその加速度が０であるか否かを判定する。加速度が上方向あるいは加速度が０であるとき、すなわち小型携帯端末１を収納する操作が終了したと判断されたとき、ステップＴ９に進み、加速度が上方向でもなくかつ加速度が０でもないとき、ステップＴ６に戻る。ステップＴ９では、検出判定部１３は、加速度センサ１１からの検出信号が示す加速度情報を設定値計算部１９に送る。
【００６４】
ステップＴ１０では、制御部１４は、小型携帯端末１を収納する際の加速度の検出が終了したことを示す操作終了画面を表示する。操作終了画面には、測定した操作を設定値として採用するか否か、すなわち使用者が小型携帯端末１をポケットなどに収納する操作を行ったときの加速度の変化の特徴を加速度設定値として設定するか否かを、使用者に選択させるための操作ボタンが表示される。この操作ボタンには、設定することを指示する「はい」ボタンおよび設定しないことを指示する「いいえ」ボタンがある。ステップＴ１１では、制御部１４は、「はい」ボタンが操作されたか、あるいは「いいえ」ボタンが操作されたかを判定する。「はい」ボタンが操作されたとき、ステップＴ１２に進み、「いいえ」ボタンが操作されたとき、ステップＴ１５に進む。
【００６５】
ステップＴ１２では、設定値計算部１９は、検出判定部１３から送られた加速度情報に基づいて、加速度設定値を計算する、つまり加速度の変化の特徴を抽出する。ステップＴ１３では、設定値計算部１９は、計算で求めた加速度設定値つまり抽出した特徴を加速度設定値記憶部１２に保存する。ステップＴ１４では、制御部１４は、設定が完了したことを示す設定完了画面を表示部１７に表示して終了する。ステップＴ１５では、制御部１４は、加速度設定値の設定を行わずに、設定がキャンセルされたことを示すキャンセル画面を表示して、ステップＴ１に戻る。
【００６６】
図６は、図５に示した加速度設定値設定処理での表示画面の遷移を示す図である。設定初期画面３０は、小型携帯端末１の電源を切断するための加速度設定値を設定するか否かを使用者に選択させるための画面である。設定初期画面３０には、小型携帯端末１の電源を切断するための加速度設定値を登録することを示す文言「電源ＯＦＦ操作を登録します。」、使用者に電源を切断するための小型携帯端末１に対する操作を開始する方法を教示する文言「開始ボタンを押してから本体を格納してください。」、ならびに設定開始を指示する「開始」ボタン３０ａおよび設定しないことを指示する「終了」ボタン３０ｂが表示される。
【００６７】
設定初期画面３０で「開始」ボタン３０ａが押されると、使用者が小型携帯端末１をポケットなどに収納する際の加速度を検出して加速度設定値を設定中であることを示す操作開始画面３１が表示される。操作開始画面３１には、加速度設定値を設定中であることを示す文言「設定中です。」が表示される。
【００６８】
使用者が小型携帯端末１をポケットなどに収納する際の加速度の検出が終了すると、その旨を示す操作終了画面３２が表示される。操作終了画面３２には、検出された加速度の変化の特徴を加速度設定値として設定するか否かを、使用者に問い合わせる文言「この操作で電源ＯＦＦするように設定しますか？」、ならびに使用者に加速度設定値として設定するか否かを選択させるための操作ボタン、すなわち、設定することを指示する「はい」ボタン３２ａおよび設定しないことを指示する「いいえ」ボタン３２ｂが表示される。
【００６９】
操作終了画面３２で「はい」ボタン３２ａが押されると、検出された加速度から抽出された加速度の変化の特徴が加速度設定値として設定され、設定が完了したことを示す設定完了画面３３が表示される。設定完了画面３３には、加速度設定値の設定が完了したことを示す文言「設定が完了しました。」が表示される。操作終了画面３２で「いいえ」ボタン３２ｂが押されると、加速度設定値の設定は行われず、加速度設定値の設定がキャンセルされたことを示すキャンセル画面３４が表示される。キャンセル画面３４には、加速度設定値の設定がキャンセルされたことを示す文言「設定をキャンセルしました。」が表示される。キャンセル画面３４が表示された後、設定初期画面３０に戻る。
【００７０】
図４〜図６に示した実施の形態では、小型携帯端末１の電源を切断するために、小型携帯端末１をポケットなどに収納するときの加速度の変化の特徴を加速度測定値として設定したが、省電力モードを開始もしくは終了するための加速度測定値を設定してもよい。すなわち、省電力モードを開始つまり電源制御対象１５への電力の供給を停止するために、小型携帯端末１を収納するときの加速度の変化の特徴を、第１の加速度設定値として設定し、さらに省電力モードを終了つまり電源制御対象１５への電力の供給を開始するために、小型携帯端末１をポケットなどから取り出すときの加速度の変化の特徴を、第２の加速度設定値として設定し、その設定した第１の加速度測定値および第２の加速度設定値を用いて、省電力モードを開始もしくは終了する。
【００７１】
このように、小型携帯端末１である電子機器を収納するときあるいは取り出すときの動きの特徴つまり加速度の変化の特徴をパターンである加速度設定値として設定することができるので、使用者毎に加速度設定値を設定することができる。したがって、使用者固有の動作によって、電源を切断、または省電力モードを開始もしくは停止することができるので、操作性が向上し、さらに、電源切断の精度、または省電力モードの開始もしくは停止の精度を向上することができる。
【００７２】
上述した実施の各形態では、電子機器として、携帯電話機、ＰＤＡ、あるいはハンディターミナルなどの小型携帯端末１を例に説明したが、本発明は、ポータブルゲーム、および可搬形のパーソナルコンピュータなどにも好適である。
【図面の簡単な説明】
【００７３】
【図１】本発明の実施の一形態である小型携帯端末１の概略の構成を示す図である。
【図２】図１に示した加速度センサ１１の一例を示す図である。
【図３】図１に示した小型携帯端末１が行う電源制御の処理手順の一例を示すフローチャートである。
【図４】本発明の実施の他の形態である小型携帯端末１の概略の構成を示す図である。
【図５】図４に示した小型携帯端末１が行う加速度設定値設定処理の処理手順の一例を示すフローチャートである。
【図６】図５に示した加速度設定値設定処理での表示画面の遷移を示す図である。
【符号の説明】
【００７４】
１  小型携帯端末
１１  加速度センサ
１２  加速度設定値記憶部
１３  検出判定部
１４  制御部
１５  電源制御対象
１６  スイッチ
１７  表示部
１８  電池
１９  設定値計算部
２１  圧電素子
２２  おもり
２３  ケース
２４  ベース
３０  設定初期画面
３１  操作開始画面
３２  操作終了画面
３３  設定終了画面
３４  キャンセル画面
【図１】
0004611866.tif 000002
【図２】
0004611866.tif 000003
【図３】
0004611866.tif 000004
【図４】
0004611866.tif 000005
【図５】
0004611866.tif 000006
【図６】
0004611866.tif 000007